(57)【要約】【課題】デジタルカメラの外装に追加穴加工を施すことなく、配線基板を外装組み込み後に、この配線基板の電気的特性の検査および調整を行う。【解決手段】切換スイッチ７は、通常動作時には、ポート７ａとポート７ｅを接続する。このため、ポート７ａへ入力されたビデオ信号は、切換スイッチ７のポート７ｅおよびＡ／Ｖジャック３を介して外部装置へ出力される。検査または調整を行う際には、検査装置の検査用端子をＡ／Ｖジャック３へ挿入し、検査モード信号を、通信用端子２へ入力する。システムＩＣ５は、切換信号出力ポート５ｃから検査モード切換信号を出力する。切換スイッチ７では、検査モード切換信号が入力されると、ポート７ｃをポート７ｅへ接続する。このため、クロック回路６のポート６ａ、切換回路７、Ａ／Ｖジャック３を介してクロック信号が検査装置へ出力される。検査装置では、クロック信号の周波数を検出する。【選択図】          図２
2004212242.tif 000002
【特許請求の範囲】
【請求項１】
電子部品が搭載された配線基板と、ユーザインターフェース端子とを有する電子機器において、
前記配線基板の電気的特性の検査または調整用の配線と、
前記配線と前記ユーザインターフェース端子とを電気的に接続した接続状態と切り離した非接続状態との間で切り換えを行う切換手段とを備えたことを特徴とする電子機器。
【請求項２】
前記電子機器が通信用端子を備えるものであり、前記切換手段が前記通信用端子を介して入力された信号に応じて切り換えられるものであることを特徴とする請求項１記載の電子機器。
【請求項３】
前記ユーザインターフェース端子が記録メディア用の端子であることを特徴とする請求項１または請求項２記載の電子機器。
【請求項４】
請求項３記載の電子機器の前記記録メディア用の端子に接続可能な端子と、該端子を保持するホルダーとを有し、該ホルダーの外形が前記記録メディアの外形と略同一であることを特徴とする検査用コネクタ。
【請求項５】
前記端子の形状が前記記録メディアに設けられている端子の形状と略同一であることを特徴とする請求項４記載の検査用コネクタ。
【請求項６】
Ａ／Ｄ変換手段を備えたことを特徴とする請求項４または請求項５記載の検査用コネクタ。
【発明の詳細な説明】
【０００１】
【発明の属する技術分野】
本発明は、デジタルカメラあるいは携帯電話等のユーザインターフェース端子を有する電子機器および検査用コネクタに関するものである。
【０００２】
【従来の技術】
近年、通信用端子、Ａ／Ｖジャックあるいは記録メディア用端子などのユーザインターフェース端子を有するデジタルカメラや携帯電話等の電子機器が広く普及している。また、これらの電子機器には、半導体部品等の電子部品を搭載した配線基板が組み込まれている。電子機器を製造する際には、配線基板の配線パターンの断線や搭載された電子部品の故障の有無を検査する電気的特性の検査および電子部品の電気的特性の調整などを行う必要がある。通常これらの配線基板の電気的特性の検査および調整は、これらの配線基板が電子機器に組み込まれる前に、配線基板単体で行われることが多い（例えば特許文献１参照）。
【０００３】
【特許文献１】
特開平１０−２３２２５８号公報
【０００４】
【発明が解決しようとする課題】
近年デジタルカメラ等の電子機器の小型化および製造コストの低減が強く望まれている。例えば、配線基板の電気的特性の検査および調整の一部または全部を外装後に行い、製造工程を簡素化することが考えられている。しかし、そのためには機器外装に検査および調整用の穴を開ける必要があり、小型化が妨げられてしまうという問題がある。
【０００５】
本発明は、上記問題に鑑みてなされたものであり、電子機器外装に追加穴加工を施すことなく、配線基板を外装組み込み後に、この配線基板の電気的特性の検査および調整を行うことができる電子機器を提供することを目的とするものである。
【０００６】
【課題を解決するための手段】
本発明による電子機器は、電子部品が搭載された配線基板と、ユーザインターフェース端子とを有する電子機器において、
前記配線基板の電気的特性の検査または調整用の配線と、
前記配線と前記ユーザインターフェース端子とを電気的に接続した接続状態と切り離した非接続状態との間で切り換えを行う切換手段とを備えたことを特徴とするものである。
【０００７】
なお、「配線基板の電気的特性の検査」とは、配線基板の断線や搭載された電子部品の故障の有無や電子部品の電気的特性等を検査することである。「電子部品の電気的特性」としては、具体的には電源回路の電圧や、発信回路の発信周波数等を挙げることができる。また、「配線基板の電気的特性の調整」とは、搭載された電子部品の電気的特性を調整することであり、具体的には電源回路の電圧調整や、発信回路の発信周波数の調整等を挙げることができる。
【０００８】
前記電子機器が通信用端子を備えるものでれば、前記切換手段は前記通信用端子を介して入力された信号に応じて切り換えられるものであってもよい。
【０００９】
なお、「ユーザインターフェース端子」とは、ユーザが使用するために設けられた端子であり、具体的には、記録メディア用の端子や、通信用端子、Ａ／Ｖジャック、クレードル用端子または３脚取り付け用のネジ穴等を挙げることができる。
【００１０】
本発明による検査用コネクタは、配線基板の電気的特性の検査または調整用の配線と接続される記録メディア用の端子に接続可能な端子と、該端子を保持するホルダーとを有し、該ホルダーの外形が記録メディアの外形と略同一であることを特徴とする。
【００１１】
なお、「外形が略同一である」とは、例えば電子機器に設けられた記録メディア用のスロットに検査用コネクタを挿入した場合に、電子機器の記録メディア用端子と検査用コネクタの端子とが安定した状態で電気的に接続される程度に外形が同一であることを意味している。
【００１２】
また、上記検査用コネクタの端子の形状は前記記録メディアに設けられている端子の形状と略同一であってもよい。また、上記検査用コネクタの端子の材質も、記録メディアに設けられている端子の材質と略同一であってもよい。
【００１３】
さらに、上記検査用コネクタは、Ａ／Ｄ変換手段を備えたものであってもよい。
【００１４】
【発明の効果】
本発明による電子機器は、切換手段により、電子部品が搭載された配線基板の電気的特性の検査または調整用の配線と、ユーザインターフェース端子との電気的な接続状態を、接続状態と非接続状態との間で切り換えることができるので、配線基板が電子機器に組み込まれた後であっても、この配線基板の電気的特性の検査および調整を行うことができる。また、このような検査および調整を行うために、機器外装に追加穴加工を施す必要もない。
【００１５】
さらに、電子機器の製造工程において、配線基板単体での上記の検査および調整行程を省くこともできる。このような場合には、検査および調整を行うためのテストランドを配線基板に形成する必要がなくなり、配線基板の小型化が可能となる。また、配線基板単体で検査または調整を行う際に必要な、特殊な検査装置も不要となり、製造コストを低減することができる。
【００１６】
また、前記電子機器が通信用端子を備えるものであり、前記切換手段が前記通信用端子を介して入力された信号に応じて切り換えられるものであれば、容易に切換手段を切り換えることができる。
【００１７】
前記ユーザインターフェース端子が記録メディア用の端子であれば、通常多数の端子が並列して設けられているため、種々の信号を同時に送受信することができる。
【００１８】
検査用コネクタが、上記電子機器の記録メディア用の端子に接続可能な端子と、該端子を保持するホルダーとを有し、かつ前記ホルダーの外形が記録メディアの外形と略同一であれば、例えば記録メディア用のスロットへ検査用コネクタを挿入することにより、容易に検査用コネクタの端子を記録メディア用の端子と電気的に接続することができる。
【００１９】
上記検査用コネクタの端子の形状が前記記録メディアに設けられている端子の形状と略同一であれば、確実に検査用コネクタの端子を記録メディア用の端子と電気的に接続することができる。
【００２０】
また、検査用コネクタがＡ／Ｄ変換手段を備えたものであれば、アナログの検査信号あるいは調整信号を外部のラインを用いて送信する必要がなく、信号の劣化を減少させることができる。
【００２１】
【発明の実施の形態】
以下、図面を参照して本発明の実施の形態を詳細に説明する。図１は、本発明の第１の実施形態であるデジタルカメラの外観図、図２は機能ブロック図である。本デジタルカメラ１は、静止画像およびビデオ画像の撮像が可能なデジタルカメラであり、通信用端子２およびＡ／Ｖジャック３を有している。通常使用時には、撮像された画像データは不図示の記憶部に記憶される。また、通信用端子２はパーソナルコンピュータ等に接続され、撮像された画像データの送受に使用される。またＡ／Ｖジャック３は、ビデオ表示装置等に接続され、撮像されたビデオ信号の出力に使用される。また、通信用端子２に検査モード信号または調整モード信号が入力された際には、デジタルカメラ１は、Ａ／Ｖジャック３を介して、クロック回路６のクロック周波数の検査および調整を行うことができる。
【００２２】
デジタルカメラ１に内蔵される配線基板４には、システムＩＣ５、クロック回路６および切換スイッチ７が設けられている。通信用端子２はライン１１によりシステムＩＣ５の通信ポート５ａに接続されている。またシステムＩＣ５のビデオ信号出力ポート５ｂは、ビデオ信号を出力するものであり、ライン１２により切換スイッチ７のポート７ａへ接続されている。切換信号出力ポート５ｃは切換信号を出力するものであり、ライン１３により切換スイッチ７のポート７ｂへ接続されている。
【００２３】
クロック回路６の出力ポート６ａは、クロック信号を出力するものであり、ライン１４によりシステムＩＣ５のポート５ｄへ接続され、またライン１５により切換スイッチ７のポート７ｃへ接続されている。さらに、クロック回路６の調整ポート６ｂは調整信号を入力するものであり、ライン１６を介して切換えスイッチ７のポート７ｄへ接続されている。また、切換スイッチ７のポート７ｅはライン１７によりＡ／Ｖジャック３へ接続されている。
【００２４】
システムＩＣ５は、通常のカメラ機能の制御に加え、通信用端子２へ検査モード信号または調整モード信号が入力された際には、切換信号出力ポート５ｃから検査モード切換信号または調整モード切換信号を出力する。
【００２５】
切換スイッチ７は、通常動作時には、ポート７ａとポート７ｅを接続する。このため、ポート７ａへ入力されたビデオ信号は、切換スイッチ７のポート７ｅおよびＡ／Ｖジャック３を介して外部装置へ出力される。
【００２６】
以下、切換スイッチ７の切換動作を含め、クロック周波数の検査および調整を行う際の動作について説明する。
【００２７】
検査または調整を行う際には、パーソナルコンピュータ２０へ接続されているケーブル２１の先端に取り付けられている通信用端子２２をデジタルカメラ１の通信用端子２へ接続する。また検査装置２５へ接続されているケーブル２６の先端へ取り付けられている検査用端子２７をＡ／Ｖジャック３へ挿入する。
【００２８】
その後、パーソナルコンピュータ２０から検査モード信号を、ケーブル２１および通信用端子２２を介して通信用端子２へ出力する。システムＩＣ５は、切換信号出力ポート５ｃから検査モード切換信号を出力する。切換スイッチ７では、検査モード切換信号が入力されると、ポート７ｃをポート７ｅへ接続する。このため、クロック回路６のポート６ａ、ライン１５、切換スイッチ７のポート７ｃ、ポート７ｅおよびＡ／Ｖジャック３を介してクロック信号が検査装置２５へ出力される。検査装置２５では、クロック信号の周波数を検出して不図示の表示部へ表示する。
【００２９】
検査・調整者（以下検査者と記載）は表示部へ表示されたクロック周波数が適切な周波数であれば検査を終了する。クロック周波数が適切な周波数でなければ、以下の調整を行う。
【００３０】
まず、パーソナルコンピュータ２０から調整モード信号を通信用端子２へ出力する。システムＩＣ５は、切換信号出力ポート５ｃから調整モード切換信号を出力する。切換スイッチ７では、調整モード切換信号が入力されると、ポート７ｄをポート７ｅへ接続する。検査者は、検査装置２５から調整信号を出力させる。調整信号は、ケーブル２６、検査用端子２７、Ａ／Ｖジャック３、切換スイッチ７のポート７ｅ、ポート７ｄ、ライン１６を介して、クロック回路６の調整ポート６ｂへ入力される。この結果、クロック回路６から出力されるクロック信号の周波数が変化する。検査者は再度クロック信号の周波数の検査を行う。所望の周波数が得られるまで上記調整および検査を繰り返し、所望の周波数が得られた時点で調整を終了する。
【００３１】
通常、このようなクロック周波数の検査および調整動作は、配線基板４をデジタルカメラ１へ組み込み直後に行うが、修理時などにクロック周波数の再検査および調整を行うこともできる。
【００３２】
以上の説明で明らかなように、本デジタルカメラ１においては、切換スイッチ７により、クロック回路６のクロック信号の周波数の検査用の配線であるライン１５と、ユーザインターフェース端子であるＡ／Ｖジャック３とを接続状態または非接続状態に切り換えることができるので、配線基板４がデジタルカメラ１に組み込まれた後であっても、このクロック回路６から出力されるクロック信号の周波数の検査を行うことができる。また、切換スイッチ７により、クロック回路６のクロック信号の周波数の調整用の配線であるライン１６と、ユーザインターフェース端子であるＡ／Ｖジャック３とを接続状態または非接続状態に切り換えることができるので、配線基板４がデジタルカメラ１に組み込まれた後であっても、このクロック回路６から出力されるクロック信号の周波数の再調整を行うことができる。このような検査および調整を行うために、デジタルカメラ１の外装に追加穴加工を施す必要もない。
【００３３】
さらに、デジタルカメラ１の製造工程において、クロック信号の周波数の検査および調整行程を省くこともできる。このような場合には、検査および調整を行うためのテストランドを配線基板４に形成する必要がなくなり、配線基板４の小型化が可能となる。また、配線基板４単体で検査または調整を行う際に必要な、特殊な検査装置も不要となり、製造コストを低減することができる。
【００３４】
また、切換スイッチ７が、通信用端子２を介して入力された検査モード信号あるいは調整モード信号に応じて切り換えられるものであるため、容易に切換スイッチ７を切り換えることができる。
【００３５】
次に図３および図４を用いて、本発明の第２の実施形態であるデジタルカメラ３１について説明する。図１はデジタルカメラ３１の外観図、図２は機能ブロック図である。本デジタルカメラ３１は、静止画像およびビデオ画像の撮像が可能なデジタルカメラであり、通信用端子３２および記録メディア用スロット３３を有している。通常使用時には、撮像された画像データは記録メディア用スロット３３に挿入された不図示の記録メディアに記憶される。なお記録メディア用スロット３３の開口部の反対側には、端子３３ａ〜３３ｄが設けられている。通信用端子３２はパーソナルコンピュータ等に接続され、撮像された画像データの送受に使用される。また、通信用端子３２に検査調整モード信号が入力された際には、デジタルカメラ３１は、記憶メディア用スロット３３を介して、クロック回路３６のクロック周波数の検査と調整および電源回路３７の電圧の検査と調整を行うことができる。
【００３６】
デジタルカメラ３１に内蔵される配線基板３４には、システムＩＣ３５、クロック回路３６、電源回路３７および切換スイッチ３８が設けられている。通信用端子３２はライン４１によりシステムＩＣ３５の通信ポート３５ａに接続されている。またシステムＩＣ３５の画像データ出力ポート３５ｂ〜３５ｅは、画像データを出力するものであり、ライン４２〜４５により切換スイッチ３８のポート３８ａ〜３８ｄへ接続されている。システムＩＣ３５の切換信号出力ポート３５ｆは切換信号を出力するものであり、ライン４６により切換スイッチ３８のポート３８ｅへ接続されている。
【００３７】
クロック回路３６の出力ポート３６ａは、クロック信号を出力するものであり、ライン４７によりシステムＩＣ３５のポート３５ｇへ接続され、またライン４８により切換スイッチ３８のポート３８ｆへ接続されている。さらに、クロック回路３６の調整ポート３６ｂは調整信号を入力するものであり、ライン４９を介して切換えスイッチ３８のポート３８ｇへ接続されている。
【００３８】
電源回路３７の出力ポート３７ａは供給電力を出力するものであり、ライン５０によりシステムＩＣ３５のポート３５ｈへ接続され、またライン５１により切換スイッチ３８のポート３８ｈへ接続されている。さらに、電源回路３７の調整ポート３７ｂは調整信号を入力するものであり、ライン５２を介して切換えスイッチ３８のポート３８ｉへ接続されている。
【００３９】
また、切換スイッチ３８のポート３８ｊ〜３８ｍはライン５３〜５６により記録メディア用スロット３３の端子３３ａ〜３３ｄに接続されている。
【００４０】
システムＩＣ３５は、通常のカメラ機能の制御に加え、通信用端子３２へ検査調整モード信号が入力された際には、切換信号出力ポート３５ｆから検査調整モード切換信号を出力する。
【００４１】
切換スイッチ３８は、記録メディア用スロット３３へ記録メディアが挿入されている通常動作時には、ポート３８ａ〜３８ｄとポート３８ｊ〜３８ｍとを接続する。このため、システムＩＣ３５からポート３８ａ〜３８ｄへ入力された画像データは、切換スイッチ３８のポート３８ｊ〜３８ｍを介して記録メディアへ出力される。
【００４２】
以下、切換スイッチ３８の切換動作を含め、クロック周波数の検査と調整および電源電圧の検査と調整を行う際の動作について説明する。
【００４３】
検査または調整を行う際には、パーソナルコンピュータ２０へ接続されているケーブル２１の先端に取り付けられている通信用端子２２をデジタルカメラ３１の通信用端子３２へ接続する。また検査装置６１へ接続されているケーブル６２の先端へ取り付けられている検査用コネクタ６３を記録メディア用スロット３３へ挿入する。
【００４４】
検査用コネクタ６３は、先端に設けられた端子６３ａ〜６３ｄと、これらの端子６３ａ〜６３ｄを保持する四角形状のホルダー６４とから構成されている。ホルダー６４の外形は、記録メディア用スロット３３に挿入される記録メディアの外形と同一形状であり、また端子６３ａ〜６３ｄの形状および材質は、上記記録メディアに設けられる端子の形状および材質と同一である。このため、検査用コネクタ６３を記録メディア用スロット３３へ挿入すると、検査用コネクタ６３の端子６３ａ〜６３ｄと、デジタルカメラ３１の記録メディア用の端子３３ａ〜３３ｄとは安定した状態で電気的に接続される。
【００４５】
その後、パーソナルコンピュータ２０から検査調整モード信号を通信用端子３２へ出力する。システムＩＣ３５は、切換信号出力ポート３５ｆから検査調整モード切換信号を出力する。切換スイッチ３８では、検査調整モード切換信号が入力されると、ポート３８ｆ、３８ｇ、３８ｈおよび３８ｉをポート３８ｊ、３８ｋ、３８ｌおよび３８ｍへ接続する。このため、ポート３８ｆ、３８ｇ、３８ｈおよび３８ｉは、端子３３ａ〜３３ｄ、検査用コネクタ６３およびケーブル６２を介して検査装置６１と接続される。
【００４６】
検査装置６１では、クロック回路３６から出力されるクロック信号（ポート３６ａ、ライン４８、ポート３８ｆ、ポート３８ｊ、ライン５３、端子３３ａおよび端子６３ａを経由）の周波数および電源回路３７から出力される電力（ポート３７ａ、ライン５１、ポート３８ｈ、ポート３８ｌ、ライン５５、端子３３ｃおよび端子６３ｃを経由）の電圧を検出して不図示の表示部へ表示する。
【００４７】
検査者は表示部へ表示されたクロック周波数および電圧が適切な値であれば検査および調整を終了する。クロック周波数が適切な周波数でなければ、検査者は検査装置６１から調整信号を出力させる。調整信号は、検査用コネクタ６３の端子６３ｂから端子３３ｂ、ライン５４、切換スイッチ３８のポート３８ｋおよび３８ｇ、ライン４９を介してクロック回路３６の調整ポート３６ｂへ入力される。この結果、クロック回路３６から出力されるクロック信号の周波数が変化する。検査者は所望の周波数が得られるまで調整信号を出力し、所望の周波数が得られた時点で調整を終了する。
【００４８】
同様に電源回路３７から出力される電力の電圧が適切な電圧でなければ、検査者は検査装置６１から調整信号を出力させる。調整信号は、検査用コネクタ６３の端子６３ｄから端子３３ｄ、ライン５６、切換スイッチ３８のポート３８ｍおよび３８ｉ、ライン５２を介して電源回路３７の調整ポート３７ｂへ入力される。この結果、電源回路３７から出力される電力の電圧が変化する。検査者は所望の電圧が得られるまで調整信号を出力し、所望の電圧が得られた時点で調整を終了する。
【００４９】
通常、このようなクロック周波数および供給電力の電圧の検査および調整の動作は、配線基板３４をデジタルカメラ３１へ組み込み直後に行うが、修理時などに再検査および再調整を行うこともできる。
【００５０】
以上の説明で明らかなように、本デジタルカメラ３１においては、切換スイッチ３８により、クロック回路３６のクロック信号の周波数および電源回路３７の電圧の検査および調整用の配線であるライン４８〜５２と、ユーザインターフェース端子である記録メディア用端子３３ａ〜３３ｄとを接続状態または非接続状態に切り換えることができるので、配線基板３４がデジタルカメラ３１に組み込まれた後であっても、このクロック回路３６から出力されるクロック信号の周波数の検査と調整および電源回路３７から出力される電力の電圧の検査と調整を行うことができる。またこのような検査および調整を行うために、デジタルカメラ３１の外装に追加穴加工を施す必要もない。
【００５１】
さらに、デジタルカメラ３１の製造工程において、クロック信号の周波数および電源回路から出力される電力の電圧の検査および調整行程を省くこともできる。このような場合には、検査および調整を行うためのテストランドを配線基板３４に形成する必要がなくなり、配線基板３４の小型化が可能となる。また、配線基板３４単体で検査または調整を行う際に必要な、特殊な検査装置も不要となり、製造コストを低減することができる。
【００５２】
また、検査用コネクタ６３のホルダー６４の外形が記録メディアの外形と同一であるため、デジタルカメラ３１の記録メディア用スロット３３へ検査用コネクタ６３を挿入することにより、容易に検査用コネクタ６３の端子６３ａ〜６３ｄをデジタルカメラ３１の記録メディア用の端子３３ａ〜３３ｄと電気的に接続することができる。
【００５３】
また、検査用コネクタ６３の端子６３ａ〜６３ｄの形状および材質が記録メディアに設けられている端子の形状および材質と同一であるため、確実に検査用コネクタ６３の端子６３ａ〜６３ｄをデジタルカメラ３１の記録メディア用の端子３３ａ〜３３ｄと電気的に接続することができる。
【００５４】
また、切換スイッチ３８が、通信用端子３２を介して入力された検査調整モード信号に応じて切り換えられるものであるため、容易に切り換えを行うことができる。また、ユーザインターフェース端子として、多数の端子が並列して設けられている記録メディア用端子を用いたため、同時に他種類の信号の送受信が可能であり、検査および調整の効率を向上させることができる。なお、本実施の形態においては説明を簡単にするために、記録メディア用端子あるいは検査用コネクタ用の端子として４個の端子を設けたが、実際にはより多数の端子を設けることが可能である。
【００５５】
なお、検査用コネクタ６３の代わりに図５に示すような、セレクタ７２およびＡ／Ｄ変換器７３を備えた検査用コネクタ７１を使用することもできる。検査用コネクタ７１の端子７１ａ〜７１ｄから入力されたアナログの検査信号は、Ａ／Ｄ変換器７３でデジタル化されて検査装置６１へ出力される。また検査装置６１から出力されるデジタルの調整信号は、Ａ／Ｄ変換器７３でアナログ化されて端子７１ａ〜７１ｄを介してクロック回路３６または電源回路３７へ入力される。なお、セレクタ７２は、検査用信号または調整用信号から適宜必要な信号を選択するものである。セレクタ７２への制御信号は、検査装置６１から送出される。また、検査用コネクタ７１を動作させるために必要な電力およびクロック信号等は、デジタルカメラ３１から供給されている。このように、Ａ／Ｄ変換器７３を搭載した検査用コネクタ７１を用いることにより、アナログの検査信号あるいは調整信号を外部のラインを用いて送信する必要がなく、信号の劣化を減少させることができる。
【００５６】
なお、上記各実施の形態においては、検査および調整を行う際に、パーソナルコンピュータおよび検査装置を用いたが、これに限定されるものではなく、例えば１台の検査装置によりすべての検査および調整動作を制御してもよい。
【図面の簡単な説明】
【図１】本発明の第１の実施の形態によるデジタルカメラの概略外観図
【図２】上記デジタルカメラの機能ブロック図
【図３】本発明の第２の実施の形態によるデジタルカメラの概略外観図
【図４】上記デジタルカメラの機能ブロック図
【図５】検査用コネクタの変型例
【符号の説明】
１、３１      デジタルカメラ
２、３２      通信用端子
３            Ａ／Ｖジャック
４、３４      配線基板
５、３５      システムＩＣ
６、３６      クロック回路
７、３８      切換スイッチ
１１〜１７    ライン
２０          パーソナルコンピュータ
２５、６１    検査装置
３３          記録メディア用スロット
３３ａ〜３３ｄ    記録メディア用端子
３７          電源回路
４１〜５６    ライン
６３、７１    検査用コネクタ
７２          セレクタ
７３          Ａ／Ｄ変換器
【図１】
2004212242.tif 000003
【図２】
2004212242.tif 000004
【図３】
2004212242.tif 000005
【図４】
2004212242.tif 000006
【図５】
2004212242.tif 000007